(57)【要約】  【課題】躯体の大きな変動を吸収でき、かつ、躯体の表面を傷つけるおそれのないエキスパンションジョイントを提供する。  【解決手段】隣接する躯体間隙２ａ、２ｂを被閉し、躯体間隙幅方向の一端部側に設けた回転部５により回動可能としたカバー材３を有するエキスパンションジョイント１において、回転部５を、一方の躯体２ａの間隙側側面２ｆから他方の躯体２ｂ側に突設した取付面１０ａを有する取付部材１０と、円弧状に湾曲した平面形状であり、取付部材１０とカバー材３の裏面３ａ側とに回動可能に連結した回転腕部材１１と、略への字平面形状であり、回転腕部材１１よりも他方の躯体２ｂ側に位置し、取付部材１０とカバー材３の裏面３ａ側とに回動可能に連結した支持腕部材１２とを備えた構成とする。【選択図】  図２
2005330656.tif 000002
【特許請求の範囲】
【請求項１】
隣接する躯体間隙を被閉し、躯体間隙幅方向の一端部側に設けた回転部により回動可能としたカバー材を有するエキスパンションジョイントにおいて、
回転部を、一方の躯体の間隙側側面から他方の躯体側に突設した取付面を有する取付部材と、円弧状に湾曲した平面形状の一対の板材であり、取付部材とカバー材の裏面側とに回動可能に連結した回転腕部材と、略への字平面形状の一対の板材であり、回転腕部材よりも他方の躯体側に位置し、取付部材とカバー材の裏面側とに回動可能に連結した支持腕部材とを備えた構成としたことを特徴とするエキスパンションジョイント。
【請求項２】
カバー材の躯体間隙幅方向の他端部側に中折れ長尺形状の連結腕部材を設け、
連結腕部材の一端部をカバー材の裏面側に回動可能に連結し、他端部を他方の躯体の間隙側側面に回動可能に連結したことを特徴とする請求項１に記載のエキスパンションジョイント。
【請求項３】
カバー材の裏面側に躯体間隙幅方向に伸縮可能な伸縮部を設け、
伸縮部を、カバー材の裏面側に取付けた摺動受け材と、摺動受け材内を躯体間隙幅方向に摺動可能な摺動部材とを備えた構成とし、
回転腕部材及び支持腕部材の一端部を摺動受け材に連結し、連結腕部材の一端部を摺動部材に連結したことを特徴とする請求項２に記載のエキスパンションジョイント。
【請求項４】
摺動受け材を、略矩形板材の両端部を長手方向に沿い折曲して対面する側面を形成し、該側面に長手方向に沿い内方に突設した対向する二対の突片を有する形状とし、
摺動部材を、略矩形板材の一面から対面する垂直面を突設し、垂直面の先端部を垂直外方に折曲した折曲面を形成した形状としたことを特徴とする請求項３に記載のエキスパンションジョイント。
【発明の詳細な説明】
【技術分野】
【０００１】
本発明は、隣接する建造物の躯体間隙、特に内壁の間隙を被閉し、躯体変動に追随して変動を吸収できるエキスパンションジョイントに関する。
【背景技術】
【０００２】
従来のエキスパンションジョイントとしては、図１４に示すように、カバー材５０の一端部側を回動可能に一方の躯体５１に連結し、他端部側を、他方の躯体５２から間隙５３に向け突設した突設片５４に載置し、両躯体５１、５２が近づく方向に変動したとき、カバー材５０の裏面５０ａに設けた傾斜部材５５が突設片５４に乗り上げ、カバー材５０が扉のように回転して変動を吸収できるようにしたものである。
また、カバー材となるパネル体の一端部側に下向傾斜面を形成し、パネル体の他端部側を回動可能に一方の躯体に連結した構成とし、両躯体が近づく方向に変動したとき、パネル体の先端が他方の躯体の表面側に乗り上げて変動を吸収できるようにしたものもある（下記、特許文献１参照）。
【０００３】
【特許文献１】特開２０００−１１０２５９号公報
【発明の開示】
【発明が解決しようとする課題】
【０００４】
図１４に示したエキスパンションジョイントでは、両躯体５１、５２が近づく方向に変動したとき、カバー材５０の一端部側の表面縁部５６が躯体５１側に当接してしまい、大きな変動では破損してしまうおそれがあった。
特許文献１に記載のエキスパンションジョイントでは、パネル体の先端が躯体の表面側に乗り上げる構造となっているため、躯体の表面に設けたボード材等を傷つけてしまうことがあった。また、パネル体の先端側には、隙間が設けてあり、躯体が変動していないときでも隙間が見えてしまい外観上好ましくないものであった。
【０００５】
本発明は、上記課題に鑑み、躯体の大きな変動も吸収でき、かつ、躯体の表面を傷つけるおそれのないエキスパンションジョイントを提供する。
【課題を解決するための手段】
【０００６】
本発明のエキスパンションジョイントは、隣接する躯体間隙を被閉し、躯体間隙幅方向の一端部側に設けた回転部により回動可能としたカバー材を有するエキスパンションジョイントにおいて、回転部を、一方の躯体の間隙側側面から他方の躯体側に突設した取付面を有する取付部材と、中間付近を円弧状に湾曲した平面形状の一対の板材であり、取付部材とカバー材の裏面側とに回動可能に連結した回転腕部材と、略への字平面形状の一対の板材であり、回転腕部材よりも他方の躯体側に位置し、取付部材とカバー材の裏面側とに回動可能に連結した支持腕部材とを備えた構成とする。
カバー材の躯体間隙幅方向の他端部側に中折れ長尺形状の連結腕部材を設け、連結腕部材の一端部をカバー材の裏面側に回動可能に連結し、他端部を他方の躯体の間隙側側面に回動可能に連結するのが好ましい。
特に、カバー材の裏面側に躯体間隙幅方向に伸縮可能な伸縮部を設け、伸縮部を、カバー材の裏面側に取付けた摺動受け材と、摺動受け材内を躯体間隙幅方向に摺動可能な摺動部材とを備えた構成とし、回転腕部材及び支持腕部材の一端部を摺動受け材に連結し、連結腕部材の一端部を摺動部材に連結するのが好ましい。
摺動受け材を、略矩形板材の両端部を長手方向に沿い折曲して対面する側面を形成し、該側面に長手方向に沿い内方に突設した対向する二対の突片を有する形状とし、摺動部材を、略矩形板材の一面から対面する垂直面を突設し、垂直面の先端部を垂直外方に折曲した折曲面を形成した形状とすることができる。
【発明の効果】
【０００７】
本発明のエキスパンションジョイントは、回転部に回転腕部材と支持腕部材とを有する構成としたため、カバー材の回転部側の端部が他方の躯体側に移動しつつ、回動できるので、カバー材の一端部側表面縁部が躯体に当接することがない。
また、カバー材の他端部側に連結腕部材を設ける構成とすることにより、躯体が近づく方向に変動しても他端部を持ち上げる構造としてあるため、躯体の表面に設けたボード材等を傷つけるおそれがない。
【発明を実施するための最良の形態】
【０００８】
本発明の一実施形態として内壁に取付けた場合を図面を用いて説明する。なお、説明中に使用するＸ方向、Ｙ方向、Ｚ方向とは、図２に示すように、躯体間隙幅方向（Ｘ方向）、躯体間隙奥行き方向（Ｙ方向）、躯体間隙長手方向（Ｚ方向）のことである。
図１は本発明の一実施形態のエキスパンションジョイントの分解斜視図、図２は図１のエキスパンションジョイントを躯体に取付けたときの上方から俯瞰した図、図３〜図９は図１のエキスパンションジョイントの各構成部品の概略斜視図、図１０〜図１３は図２のエキスパンションジョイントにおいて躯体が変動した場合の各状態を示した図である。
【０００９】
本発明のエキスパンションジョイント１は、躯体２ａ、２ｂの間隙２ｃを被閉するカバー材３の裏面３ａ側にＸ方向に伸縮可能な伸縮部４を設け、カバー材３の幅方向の一端部３ｂ側を、回転部５を介して一方の躯体２ａに連結し、他端部３ｃ側を、連結腕部材６を介して他方の躯体２ｂに連結したものである。
【００１０】
カバー材３は、略矩形の板材であり、躯体間隙２ｃを被閉する大きさとし、内壁の表面を形成するものである。カバー材３の幅方向の両端部３ｂ、３ｃ側には、補強部材７が長手方向に沿うように設けてある。これにより、カバー材３の両端部３ｂ、３ｃが破損しないようにしてある。
補強部材７は、断面略Ｌ字形長尺板材であり、カバー材３の裏面３ａ側に固定する固定面７ａを有し、固定面７ａの折曲部側には、略矩形長尺状板材の目隠し材７ｂが、長手方向に沿い外方に突設してある。目隠し材７ｂにより、カバー材３を間隙２ｃに取付けた際、カバー材３と躯体２ａ、２ｂとの隙間を覆い隠すことができる。固定面７ａの略中央付近には、長手方向に沿った長孔７ｃが穿設してあり、ビス、ボルト等の固着具を挿通してカバー材３の裏面３ａに固定できるようにしてある。
また、固定面７ａには、長手方向に沿い垂直外方に突設した突条部７ｂが適宜位置に複数条設けてある。
【００１１】
伸縮部４は、カバー材３の裏面３ａに取付ける摺動受け材８と、摺動受け材８内をＸ方向に摺動可能な摺動部材９を備えた構成であり、Ｘ方向に伸縮できる構造としてある。
摺動受け材８は、図３に示すように、略矩形板状の固定面８ａの両端部を長手方向に沿い垂直に折曲して対面する側面８ｂを形成し、側面８ｂの長手方向の両端部を内向きに傾斜した形状としてある。摺動受け材８の長手方向の長さは、カバー材３の幅方向の長さと略同一としてある。
固定面８ａの長手方向の両端部側には、幅方向に沿い略矩形に開口した固定孔８ｅが適宜位置に設けてあり、ビス、ボルトなどの固着具を挿通してカバー材３の裏面３ａ側に固定することができる。
側面８ｂの幅方向の両端部側内面には、長手方向に沿い他方の側面８ｂ側に向かう突片８ｃが突設してあり、対向するよう二対形成してある。また、側面８ｂの長手方向の一端部側には、後述する回転腕部材１１及び支持腕部材１２が回動可能に連結できる孔部８ｄが適宜位置に穿設してある。
【００１２】
摺動部材９は、図４に示すように、略矩形板材の摺動面９ａの幅方向の両端部寄りを長手方向に沿い略垂直に対面する垂直面９ｂを突設し、その先端部を略垂直外方に折曲して折曲片９ｃを形成した形状としてある。折曲片９ｃは、摺動受け材８の固定面８ａと固定面８ａ側にある一対の突片８ｃとの間隙に挿通できるように形成し、摺動面９ａは、摺動受け材８の長手方向に沿った開口に納まり、該開口側にある一対の突片８ｃ上を摺動できるように形成してある。これにより、摺動部材９が摺動受け材８内を摺動可能となる。
摺動面９ａの長手方向の一端部側には、長手方向に沿い略矩形に開口した開口部９ｄを設け、連結腕部材６が挿通できるようにしてある。
両垂直面９ｂの長手方向の一端部側には、対向するように孔部９ｅが適宜位置に穿設してあり、ボルト、ビスなどの軸部を挿通して連結腕部材６の一端部を回動可能に連結できる。他端部側には、垂直面９ｂの長手方向に舌片状に切り欠いた一対の切欠部９ｆが設けてあり、回転腕部材１１及び支持腕部材１２を連結するボルト、ビスなどの軸部が納まるようにしてある。
【００１３】
回転部５は、カバー材３の一端部３ｂ側を躯体２ａの間隙側側面２ｆに連結し、かつ、カバー材３を、Ｚ方向を回転軸方向として回動可能にするものである。
回転部５は、躯体２ａの間隙側側面２ｆから他方の躯体２ｂに向け突設した取付面１０ａを有する取付部材１０と、取付面１０ａとカバー材３の裏面３ｃ側とに回動可能に連結した回転腕部材１１及び支持腕部材１２とを主な構成として備えている。
取付部材１０は、図５に示すように、断面略Ｌ字形板材の一方の面を取付面１０ａ、他方の面を折曲面１０ｂとし、折曲面１０ｂの先端部を略垂直外方（取付面１０ａとは反対方向）に延設して固定面１０ｃを形成した形状としてある。
取付面１０ａの幅方向の両端部には、折曲面１０ｂ側に垂直折曲した連結面１０ｄが形成してあり、さらに、その先端部の両端寄りには、半円状に突出した突出面部１０ｅが形成してある。突出面部１０ｅ面上には孔部１０ｆが穿設してあり、他方の折曲面１０ｂ側に穿設した孔部１０ｆと対向するように形成してある。折曲面１０ｂ側の一対の孔部１０ｆに回転腕部材１１を、取付面１０ａ先端側の一対の孔部１０ｆに支持腕部材１２をボルト、ビスなどの軸部を挿通して回動可能に連結できる。
固定面１０ｃの先端部側には、長手方向に沿い開口した長孔１０ｇが設けてあり、長孔１０ｇにボルト等の固着具を挿通して、躯体２ａの表面２ｄに固定できる。固定面１０ｃの折曲面１０ｂ側には、突出片１０ｈが適宜位置に垂直外方（折曲面１０ｂとは反対方向）に向け突設してある。突出片１０ｈの面上には孔部１０ｉが穿設してある。
また、固定面１０ｃの幅方向両端部の中央から先端部寄りを、垂直外方に突設し、折曲面１０ｂ側に載置するボード材端部補強部材１４の位置決めがしやすいようにしてある。
【００１４】
回転腕部材１１は、一対の板材からなり、図６に示すように、平面形状を、略同一の幅を有し、適宜半径の略円弧状に湾曲した湾曲部１１ｂの一端部を若干外折れさせた形状としてある。回転腕部材１１の両端部側の適宜位置には、孔部１１ａが穿設してあり、ボルト、ビスなどの軸部を介して摺動受け材８と取付部材１０とに連結できるようにしてある。各隅部は円弧状に切り欠いた形状とし、回動しやすいようにしてある。
【００１５】
支持腕部材１２は、一対の板材からなり、図７に示すように、平面形状を、略同一の幅の略への字形状としてある。支持腕部材１２の両端部側の適宜位置には、孔部１２ａが穿設してあり、ボルト、ビスなどの軸部を介して摺動受け材８と取付部材１０とに連結できるようにしてある。支持腕部材１２の各隅部は、円弧状に切り欠いた形状とし、回動しやすくしてある。
【００１６】
連結腕部材６は、一端部を躯体２ｂの間隙側側面２ｇに固定した固定部材１３に回動可能に連結し、他端部を摺動部材９に回動可能に連結して、カバー材３の他端部３ｃ側を支持するものである。
連結腕部材６は、図８に示すように、断面略コの字長尺形状であり、長手方向に沿い開口した開口部６ｄを有するように形成してあり、長手方向の中間付近を開口部６ｄとは反対側に適宜角度に折曲した中折れ形状としてある。側面６ａの長手方向の両端部側は、長手方向に円弧状に突出した突出面６ｂを設けてある。突出面６ｂには、孔部６ｃが穿設してあり、他方の突出面６ｂに穿設した孔部６ｃと対向するように形成してある。孔部６ｃにボルト、ビスなどの軸部を挿通して摺動部材９又は固定部材１３に回動可能に連結できる。
【００１７】
固定部材１３は、図９に示すように、略矩形板材を断面略Ｌ字形に折曲した形状としてあり、一方の面を躯体２ｂの表面に固定する固定面１３ａとし、他方の面を連結腕部材６を取付ける取付面１３ｂとしてある。固定面１３ａの先端部側には、長手方向に沿い開口した長孔１３ｃが設けてあり、ボルトなどの固着具を挿通して、躯体２ｂの表面２ｅに固定できる。固定面１３ａの取付面１３ｂ側には、突出片１３ｄが適宜位置に垂直外方（取付面１３ｂとは反対方向）に向け突設してある。突出片１３ｄ面上には孔部１３ｅが穿設してある。
取付面１３ｂの先端部側には、側端部に沿い略垂直外方（固定面１３ａとは反対方向）に突設した対面する連結面１３ｆが形成してあり、連結面１３ｆには、孔部１３ｇが他方の孔部１３ｇと対向するように穿設してある。孔部１３ｇにボルト、ビスなどの軸部を挿通して連結腕部材６の他端部を回動可能に連結できる。
【００１８】
ボード材端部補強部材１４は、断面略Ｌ字形長尺状の板材であり、躯体２ａ、２ｂの表面２ｄ、２ｅ側に設けるボード材１５のカバー材３側の端部を補強するためのものである。ボード材１５の裏面１５ａ側に固定する固定面１４ａの略中央付近には、孔部１４ｂが穿設してある。孔部１４ｂに、取付部材１０又は固定部材１３の突出片１０ｈ、１３ｄを挿通し、孔部１０ｉ、１３ｅに適宜形状に折曲した弾性部材１６を挿通してボード材端部補強部材１４と取付部材１０又は固定部材１３とを連結できるようにしてある。
【００１９】
以下、本発明のエキスパンションジョイント１を躯体間隙２ｃに取り付ける方法を説明する。
ボード材３の裏面３ａの両端部３ｂ、３ｃ側に、補強部材７の固定面７ａを面接させ、さらに、裏面３ａ側からＸ方向に渡すように摺動受け材８の固定面８ａを裏面３ａに面接させ、摺動受け材８の外寄りに位置する固定孔８ｃと補強部材７の長孔７ｃとにビス、ボルト、釘などの固着具を挿通して、カバー材３の裏面３ａ側に固定する。なお、補強部材７の固定面７ａの折曲部側には、目隠し材７ｂを溶接などにより適宜位置に固着しておくのがよい。また、摺動受け材８の内寄りに位置する固定孔８ｃに、ビス、ボルト、釘などの固着具を挿通して、カバー材３の裏面３ａ側により強固に固定するようにしてもよい。
【００２０】
回転腕部材１１を、カバー材３の裏面３ａの一端部３ｂ側に、湾曲部１１ｂの外周が他方の躯体２ｂ側を向くように配し、一方の孔部１１ａと摺動受け材８の外寄りにある一対の孔部８ｄとに長尺状のビス、ボルトなどを挿通して回動可能に連結する。また、支持腕部材１２を、カバー材３の裏面３ａの一端部３ｂ側に、折曲部の外周が躯体２ｂ側を向くように配し、一方の孔部１２ａと摺動受け材８の内寄りにある一対の孔部８ｄとに長尺状のビス、ボルトなどの軸部を挿通して回動可能に連結する。
回転腕部材１１の他の孔部１１ａと取付部材１０の取付面１０ａの折曲面１０ｂ側にある一対の孔部１０ｆとに、ビス、ボルトなどの軸部を挿通して回動可能に連結する。また、支持腕部材１２の他の孔部１２ａと取付部材１０の取付面１０ａの先端部側にある一対の孔部１０ｆとにビス、ボルトなどの軸部を挿通して回動可能に連結する。
【００２１】
連結腕部材６を摺動部材９の開口部９ｄに、開口部６ｄが外方に向くように挿通し、連結腕部材６の一端部側にある一対の孔部６ｃと摺動部材９の垂直面９ｂにある一対の孔部９ｅとに長尺状のビス、ボルトなどの軸部を挿通して回動可能に連結する。この際、ねじりバネ１７をともに軸部に挿通しておき、この一端を連結腕部材６の内面に、他端を摺動面９ａの外面に当接させておき、躯体が変動したときカバー材３が取り付け位置に戻るように付勢しておく。
また、連結腕部材６の他端部側にある一対の孔部６ｃと固定部材１３の一対の孔部１３ｇとにビス、ボルトなどの軸部を挿通して、連結腕部材６を固定部材１３に回動可能に連結する。
【００２２】
摺動部材９の両折曲片９ｃを摺動受け材８の固定面８ａと固定面８ａ側の一対の突片８ｃとの間隙に挿通して、摺動部材９を内方に摺動させる。この際、摺動部材９の切欠部９ｆの縁部に支持腕部材１２と摺動受け材８とを連結した軸部が当接し、摺動部材９の動きを規制している。つまり、摺動部材９が、躯体２ａに当接することはない。
【００２３】
取付部材１０の固定面１０ｃを、一方の躯体２ａの表面２ｄに面接させ、長孔１０ｇにビス、ボルト、釘などの固着具を挿通して固定する。この際、取付面１０ａが他方の躯体２ｂ側に突設するように固定する。
固定部材１３の固定面１３ａを、他方の躯体２ｂの表面２ｅに面接させ、長孔１３ｃにビス、ボルト、釘などの固着具を挿通して固定する。この際、連結面１３ｆが一方の躯体２ａ側に突設するように固定する。
【００２４】
ボード材端部補強部材１４を、両躯体２ａ、２ｂの表面２ｄ、２ｅ側に折曲部が躯体間隙２ｃ側を向くように配し、孔部１４ｂに取付部材１０又は固定部材１３の突出片１０ｈ、１３ｄを挿通させて、突出片１０ｈ、１３ｄの孔部１０ｉ、１３ｇに弾性部材１６を挿通して固定することができる。
ボード材１５の端部をボード材端部補強部材１４内に納め、ボード材１５の表面側から釘、ビス等の固着具を貫通させて、躯体表面２ｄ、２ｅにボード材１５を固定する。
このようにして、図２に示すように、躯体間隙２ｃにエキスパンションジョイント１を取付けることができる。
カバー材３が、Ｚ方向に長尺形状である場合には、エキスパンションジョイント１をＺ方向に適宜間隔で複数配するようにしてもよい。
【００２５】
以下、躯体２ａ、２ｂが変動した場合のエキスパンションジョイント１の動きを説明する。
図１０は、両躯体２ａ、２ｂがＸ方向に近づく方向に変動した場合を示した図であり、カバー材３の一端部３ｂ側は、回転部５により躯体２ａに連結してあり、他端部３ｃ側は、連結腕部材６の両端部に回動可能に連結してあるため、他端部３ｃ側が連結腕部材６により躯体２ｂの表面２ｅ側に持ち上げられ、カバー材３が傾斜する。この際、カバー材３の一端部３ｂ側は、他方の躯体２ｂ側に移動しつつ、躯体裏面側に移動して回動する。つまり、一端部３ｂ側は、躯体２ａと離れる方向に移動することとなる。これにより、カバー材３の一端部３ｂ側と躯体２ａとが当接することがないため、カバー材３が破損するおそれがない。また、カバー材３が大きな角度で傾斜することができ、従来よりも大きな躯体２ａ、２ｂの変動を吸収することができる。さらに、躯体２ａとカバー材３との隙間を小さくすることができ外観も優れたものとなる。
カバー材３の他端部３ｃ側は、連結腕部材６により持ち上げられる構造としてあるため、躯体表面２ｅ側に設けたボード材１５等に乗り上げることはなく、ボード材１５等が傷つくおそれはない。
【００２６】
図１１は、両躯体２ａ、２ｂがＸ方向に離れる方向に変動した場合を示した図であり、この場合は、連結腕部材６が摺動部材９を他方の躯体３ｂ側に引き、摺動部材９が摺動して変動を吸収できる。
図１２は、他方の躯体２ｂがＹ方向の躯体表面２ｅ側に変動した場合を示した図であり、この場合は、一端部３ｂ側は、図１０に示した場合と同様に回転部５により回動し、他端部３ｃ側は、連結腕部材６が摺動部材９と固定部材１３とに回動可能に連結されているため、躯体２ｂとともに躯体表面２ｅ側に移動して変動を吸収することができる。
図１３は、他方の躯体２ｂがＹ方向の躯体裏面側に変動した場合を示した図であり、この場合は、一端部３ｂ側は、回転部５により他方の躯体２ｂ側に移動しつつ、躯体表面２ｄ側に移動して回動する。つまり、一端部３ｂ側は、躯体２ａと離れる方向に移動することとなる。これにより、カバー材３の一端部３ｂ側と躯体２ａとが当接することがない。他端部３ｃ側は、連結腕部材６が摺動部材９と固定部材１３とに回動可能に連結されているため、躯体２ｂとともに躯体裏面側に移動して変動を吸収することができる。
【００２７】
なお、本発明は、上記実施形態に限定するものではない。例えば、取付部材１０を躯体２ａにＺ方向に摺動可能に取り付け、この方向の躯体２ａ、２ｂの変動を吸収可能なエキスパンションジョイントとすることもできる。
【図面の簡単な説明】
【００２８】
【図１】本発明のエキスパンションジョイントの一実施形態を示した分解斜視図である。
【図２】図１のエキスパンションジョイントを内壁に取付けたときの上方から俯瞰した図である。
【図３】図１のエキスパンションジョイントの構成部品である摺動受け材を示した概略斜視図である。
【図４】図１のエキスパンションジョイントの構成部品である摺動部材を示した概略斜視図である。
【図５】図１のエキスパンションジョイントの構成部品である取付部材を示した概略斜視図である。
【図６】図１のエキスパンションジョイントの構成部品である回転腕部材を示した概略斜視図である。
【図７】図１のエキスパンションジョイントの構成部品である支持腕部材を示した概略斜視図である。
【図８】図１のエキスパンションジョイントの構成部品である連結腕部材を示した概略斜視図である。
【図９】図１のエキスパンションジョイントの構成部品である固定部材を示した概略斜視図である。
【図１０】両躯体２ａ、２ｂが躯体間隙幅方向に近づく方向に変動した場合を示した図である。
【図１１】両躯体２ａ、２ｂが躯体間隙方向に離れる方向に変動した場合を示した図である。
【図１２】他方の躯体２ｂがＹ方向の躯体表面側に変動した場合を示した図である。
【図１３】他方の躯体２ｂがＹ方向の躯体裏面側に変動した場合を示した図である。
【図１４】従来のエキスパンションジョイントの一例を示した図である。
【符号の説明】
【００２９】
１エキスパンションジョイント  ２ａ、２ｂ躯体  ２ｃ躯体間隙  ２ｄ、２ｅ躯体表面  ２ｆ、２ｇ間隙側側面  ３カバー材  ３ａ裏面  ３ｂ、３ｃ端部  ４伸縮部  ５回転部    ６連結腕部材  ６ａ側面  ６ｂ突出面  ６ｃ孔部  ６ｄ開口部  ７補強部材  ７ａ固  定面  ７ｂ目隠し材  ７ｃ長孔  ８摺動受け材    ８ａ固定面  ８ｂ側面  ８ｃ突片    ８ｄ孔部  ９摺動部材  ９ａ摺動面  ９ｂ垂直面  ９ｃ折曲片  ９ｄ開口部  ９ｅ孔部    ９ｆ切欠部  １０取付部材  １０ａ取付面  １０ｂ折曲面  １０ｃ固定面  １０ｄ連  結面  １０ｅ突出面部  １０ｆ孔部  １０ｇ長孔  １０ｈ突出片  １０ｉ孔部  １１回  転腕部材    １１ａ孔部  １１ｂ湾曲部  １２支持腕部材  １２ａ孔部１３固定部材    １３ａ固定面  １３ｂ取付面  １３ｃ長孔  １３ｄ突出片  １３ｅ孔部  １３ｆ連結面    １３ｇ孔部  １４ボード材端部補強部材  １４ａ固定面  １４ｂ孔部  １５ボード材    １６弾性部材  １７ねじりバネ
【図１】
2005330656.tif 000003
【図２】
2005330656.tif 000004
【図３】
2005330656.tif 000005
【図４】
2005330656.tif 000006
【図５】
2005330656.tif 000007
【図６】
2005330656.tif 000008
【図７】
2005330656.tif 000009
【図８】
2005330656.tif 000010
【図９】
2005330656.tif 000011
【図１０】
2005330656.tif 000012
【図１１】
2005330656.tif 000013
【図１２】
2005330656.tif 000014
【図１３】
2005330656.tif 000015
【図１４】
2005330656.tif 000016